(57)【要約】【課題】軸筒内に複数の筆記体を仕切部材によって区画して配置し、筆記体の選択を該筆記体の後方に配置した重力に従動する振り子によって行う複合筆記具において、筆記体の繰り出し操作の不具合を解消する。【解決手段】複数の筆記体を区画して配置する区画壁が設けられたガイド筒４５と、ガイド筒４５を内装した軸筒と、軸筒の筒内にガイド筒４５の区画壁４５ａにより区画されて収容された複数の筆記体と、筆記体の後方に配置された重力に従動する振り子とを備え、所望の筆記体を該振り子の先端により押圧するようになされた複合筆記具において、筆記体は、軸筒内において、その後端部が該ガイド筒の区画壁の後端面よりも前方に配置された状態で収容され、ガイド筒４５の区画壁４５ａの後端面に曲面状の天井突起４５０が形成されている。【選択図】図５
2010143168.tif 000002
【特許請求の範囲】
【請求項１】
複数の筆記体を区画して配置する区画壁が設けられたガイド筒と、該ガイド筒を内装した軸筒と、該軸筒の筒内に該ガイド筒の区画壁により区画されて収容された複数の筆記体と、該筆記体の後方に配置された重力に従動する振り子とを備え、所望の筆記体を該振り子の先端で押圧するようになされた複合筆記具において、
前記筆記体は、前記軸筒内において、その後端部が該ガイド筒の区画壁の後端面よりも前方に配置された状態で収容され、
前記ガイド筒の区画壁の後端面に天井突起が形成されていることを特徴とする複合筆記具。
【請求項２】
前記振り子の先端は、曲面状に形成され、
前記天井突起は、曲面状に形成されていることを特徴とする請求項１に記載の複合筆記具。
【請求項３】
前記ガイド筒の筒内には、該ガイド筒の軸心に沿って略柱状の軸心部が配置され、
前記区画壁は、前記ガイド筒の内周側面と前記軸心部との間に架け渡されており、
前記天井突起は、前記区画壁の後端面の略中央に形成され、
前記ガイド筒の後端側の内周側面には、前記区画壁の後端面の略中央に向かって傾斜するガイド面が形成されていることを特徴とする請求項１又は請求項２に記載の複合筆記具。
【発明の詳細な説明】
【技術分野】
【０００１】
本発明は、複合筆記具に関し、例えば、軸筒内に収容した複数の筆記体を重力に従動する振り子によって選択するようにした複合筆記具に関する。
【背景技術】
【０００２】
従来から、軸筒内に複数の筆記体を仕切部材によって区画して配置し、筆記体の選択を該筆記体の後方に配置した重力に従動する振り子によって行うようにした（以下、「振り子による筆記体選択方式」という）複合筆記具が知られている（例えば、特許文献１）。
【０００３】
そして、上述した振り子による筆記体選択方式の複合筆記具は、軸筒先端から筆記体を繰り出す場合、以下のように操作する。
具体的には、ユーザは、所望する筆記体の位置に対応させて軸筒を傾斜させることで振り子を重力により傾動させ、振り子の先端が所望する筆記体の後端と相対向するように位置合わせする。
つぎに、ユーザは、複合筆記具をノック操作して、前記の位置合わせした振り子を前進させて所望する筆記体を付勢して、筆記体の先端を軸筒の先端より突出させる。
なお、特許文献１の複合筆記具は、図９に示すように、軸筒内において筆記体１２０ａ、１２０ｂ、１２０ｃを区分けして保持する区画壁１１１が形成されたガイド筒１００を備えている。そして、ガイド筒１００の区画壁１１１は、その後端部が山状に形成されている。
この構成により、特許文献１の複合筆記具は、振り子の先端部と、区画壁の後端部とが接触する際に生じるノック操作の不具合を抑制するようにしている。
【特許文献１】特開平１０−１０９４９３号公報
【発明の開示】
【発明が解決しようとする課題】
【０００４】
しかしながら、上述した従来技術の複合筆記具（振り子による筆記体選択方式の複合筆記具）は、以下に示す技術的課題を有している。
具体的には、従来技術の複合筆記具は、所望する筆記体を選択して繰り出すために軸筒を傾斜させる必要があるが、不十分な傾斜のままでノック操作してしまうことがあった。この場合、従来技術の複合筆記具は、軸筒の傾斜にしたがい傾動した振り子（重力に従動する振り子）の先端がガイド筒の区画壁の後端部に接触して引っかかり、スムーズに筆記体を繰り出すことができなかった（スムーズなノック操作ができなかった）。
【０００５】
また、特許文献１の複合筆記具は、ガイド筒の区画壁の後端部を山状になすことにより、区画壁の後端部と振り子の先端が接触した場合の不具合（振り子の先端と区画壁の後端部の引っかかる現象）をある程度抑制している。
しかし、特許文献１の複合筆記具は、使用を続けることにより、山上になされた区画壁の後端部が摩耗するため、長期間繰り出し使用した場合に、スムーズなノック操作を維持することができないという技術的課題を有している。
すなわち、特許文献１の複合筆記具は、長期間繰り出し使用した場合、区画壁の後端部が摩耗平面状になってくるため、振り子の先端がガイド筒の区画壁の後端部に接触して引っかかり、スムーズに筆記体を繰り出すことができなくなる。
【０００６】
また、特許文献１の複合筆記具は、ガイド筒の区画壁の後端部が山状になされているため、前記区画壁の後端部が振り子の先端との接触により欠損し易いという技術的課題を有している。
【０００７】
本発明は、上述した技術的課題を解決するためになされたものであり、本発明の目的は、軸筒内に複数の筆記体を区画して配置し、筆記体の選択を該筆記体の後方に配置した重力に従動する振り子によって行う複合筆記具において、筆記体の繰り出し操作の不具合を解消することにある。
【課題を解決するための手段】
【０００８】
上記の技術的課題を解決するためになされた本発明は、複数の筆記体を区画して配置する区画壁が設けられたガイド筒と、該ガイド筒を内装した軸筒と、該軸筒の筒内に該ガイド筒の区画壁により区画されて収容された複数の筆記体と、該筆記体の後方に配置された重力に従動する振り子とを備え、所望の筆記体を該振り子の先端で押圧するようになされた複合筆記具に適用される。
そして、前記複合筆記具において、前記筆記体は、前記軸筒内において、その後端部が該ガイド筒の区画壁の後端面よりも前方に配置された状態で収容され、前記ガイド筒の区画壁の後端面に天井突起が形成されていることを特徴としている。
【０００９】
このように、本発明の複合筆記具は、ガイド筒の区画壁の後端面に天井突起が形成されている。
そのため、本発明によれば、軸筒の傾斜が不十分のままで振り子をノック操作してしまった場合、振り子の先端が、ガイド筒の後端面の天井突起と接触して滑るため、筆記体のノック操作をスムーズに行うことができる。
また、本発明のガイド筒は、後端面に天井突起を設けるという簡単な構成を採用しているため、上述した特許文献１のガイド筒を製造する場合と比べて、簡単な金型の改造により成形することができる。
そのため、本発明のガイド筒は、上述した特許文献１のものと比べて、製造コストを低減させることができる。
【００１０】
また、前記複合筆記具において、前記振り子の先端は、曲面状に形成され、前記天井突起は、曲面状に形成されていることが望ましい。曲面状とは、例えば球体を半分に分割した半球の曲面等のことをいう。
このように、本発明によれば、振り子の先端と、ガイド筒の区画壁の後端面の天井突起との接触が曲面同士の接触になるため滑りやすく、これにより、筆記体のノック操作がスムーズになされる。
また、前記の天井突起が曲面状に形成されているため、振り子の先端と接触した場合に、上述した特許文献１のガイド筒の後端部の形状（山状の形成）に比べて摩耗（および破損）しにくい。
すなわち、本発明の複合筆記具は、ガイド筒の後端部が摩耗しにくいため、上述した従来技術のものと比べて、長期間繰り出し使用しても、筆記体の繰り出し操作の不具合の抑制効果が維持される。
【００１１】
また、前記複合筆記具において、前記ガイド筒の筒内には、該ガイド筒の軸心に沿って略柱状の軸心部が配置され、前記区画壁は、前記ガイド筒の内周側面と前記軸心部との間に架け渡されており、前記天井突起は、前記区画壁の後端面の略中央に形成され、前記ガイド筒の後端側の内周側面には、前記区画壁の後端面の略中央に向かって傾斜するガイド面が形成されていることが望ましい。
このようにガイド面を形成することにより、軸筒の傾斜が不十分のままで振り子をノック操作した場合に、振り子の先端をガイド筒の区画壁の後端面に形成された天井突起と相対向する位置に導くことができる。
【発明の効果】
【００１２】
本発明によれば、軸筒内に複数の筆記体を区画して配置し、筆記体の選択を該筆記体の後方に配置した重力に従動する振り子によって行う複合筆記具において、筆記体の繰り出し操作の不具合を解消することができる。
【発明を実施するための最良の形態】
【００１３】
以下、本発明の実施形態の複合筆記具を図面に基づいて説明する。
本実施形態は、振り子による筆記体選択方式の複合筆記具において、軸筒内で複数の筆記体を区画して保持するガイド筒の後端面に曲面状の天井突起を設けることにより、スムーズなノック操作を実現したことを第１の特徴にしている。
また、本実施形態の複合筆記具は、軸筒に金属製のリング部材を配設する構成を採用したものであり、そのリング部材が緩んだり、回転したりすることを防止するために、リング部材と、リング部材に接続される中ネジ管との当接部をテーパ状に形成したことを第２の特徴にしている。
そして、以下では、本実施形態の複合筆記具の概略を簡単に説明した後、第１の特徴および第２の特徴について詳細に説明する。
【００１４】
先ず、本実施形態の複合筆記具の概略を図１および図２に基づいて説明する。
図１は、本発明の実施形態の複合筆記具の断面図である。また、図２は、図１に示した断面図の後端部分を拡大して示した図である。
【００１５】
図１に示すように、本実施形態の複合筆記具Ｗは、先端に繰り出し孔１０ａが形成された口金１０と、口金１０の後端に装着された中空筒状の軸筒２０（先軸２１、中ネジ管２２、リング部材２３、中軸２４）と、軸筒２０の内部に収容されたた複数の筆記体３０と、軸筒２０の筒内において、複数の筆記体３０を保持し、且つ所望の筆記体３０を繰り出す繰り出し機構４０と、軸筒２０の後端より出没自在に突出して繰り出し機構４０の振り子４３を軸筒２０の先端（Ｙ１方向）に向かって付勢するノック体５０と、軸筒２０に形成された窓部２０ａに対して弾性を以て軸筒の径方向に拡開自在に取り付けられたクリップ６０を備えている。
【００１６】
また、前記軸筒２０は、口金１０の後端に装着された中空筒状の先軸２１と、先軸２１の後端に嵌合された中空筒状の中ネジ管２２と、中ネジ管２２の後端に螺合された中空筒状のリング部材２３と、リング部材２３の後端に嵌合された中空筒状の中軸（キャップ）２４とを備えている。
このように、本実施形態の軸筒２０は、中ネジ管２２およびリング部材２３により、複数の筒状部品（先軸１２および中軸２４）が相互に連結されている。
【００１７】
また、図２に示すように、繰り出し機構４０は、軸筒２０を構成する中軸２４の筒内に収容された内筒４１と、内筒４１の筒内に軸方向（Ｙ１、Ｙ２方向）に摺動自在に挿入されたスライド駒４２と、スライド駒４２の先端の略中心部に傾動自在に保持された棒状の振り子４３と、内筒４１の筒内において振り子４３に外装されたテーパスプリング４４と、筆記体３０を区画する区画壁４５ａ（図４、図５参照）が設けられたガイド筒４５とを備えている。
ここで、振り子４３は、棒状に形成され、一端部がスライド駒４２に傾動自在の保持されており、重力に従動するようになされている。また、振り子４５は、その他端（先端）が曲面状（円弧凸状）に形成されている。なお、前記曲面状とは、例えば球体を半分に分割した半球の曲面等のことをいう。
また、テーパスプリング４４は、コイル状に形成され、先端に向かって徐々に径が広がっている。なお、テーパスプリング４４は、スライド駒４２の先端部と、ガイド筒４５の後端部との間に挟持されている。
【００１８】
また、スライド駒４２は、その後端部がノック体５０に当接しており、ユーザがノック体５０を先端に向けて（Ｙ１方向に）押し込んだ（打突した）場合、前記保持する振り子４３を先端に向けて付勢する（Ｙ１方向に付勢する）。
また、図２に示すように、スライド駒４２の側面には、径方向に穿設した保持孔４２０ａと、その保持孔４２０ａに内装されたスプリング４２０ｂと、スプリング４２０ｂにより軸筒２０の径方向に出没自在となる係止突起４２０ｃとを有するプランジャ４２０が装着されている。
なお、スライド駒４２が挿入される内筒４１は、軸筒（中軸２４）２０に開口された窓部２０ａの位置に、係止突起４２０ｃを出没させるための開口４１ａが形成されている。
【００１９】
そして、スライド駒４２は、ユーザがノック体５０を押し込むことで先端側に（Ｙ１方向に）移動し、軸筒（中軸２４）２０に開口された窓部２０ａに、スプリング４２０ｂにより付勢された係止突起４２０ｃが突出し、これによりノック体５０が係止される。また、係止突起４２０ｃによるノック体５０の係止は、クリップ６０の後端側を軸筒２０の径方向に押圧することにより解除される。
なお、クリップ６０およびプランジャ４２０によるノック体５０を係止する機構は、公知技術により実現されるものであるため、その詳細な説明は省略する。
【００２０】
また、ガイド筒４５は、内筒４１の先端側の筒内に取り付けられ固定されている。
また、ガイド筒４５は、両端（図示する上下両端）を貫通する貫通孔が形成され、その貫通孔が区画壁４５ａ（図４、図５参照）により区分けされ、これにより、複数の筆記体収容部４５ｃ（図４、図５参照）が形成されている。
また、図２に示すように、ガイド筒４５の筒内に形成され各筆記体収容部４５ｃには、それぞれ、後端側にスプリング７０が外装された筆記体３０が、ガイド筒４５の軸方向を移動自在に挿入されている。
そして、ガイド筒４５の筆記体収容部４５ｃに挿入されている各筆記体３０の後端部が、ノック体５０からの打突で付勢される振り子４３の先端に押圧されて先端側に押し出されるようになされている。
【００２１】
また、本実施形態は、筆記体３０の構成について特に限定するものではない。図１に示す筆記体３０ａおよび筆記体３０ｂは、あくまでも例示である。
なお、図１に例示する筆記体３０ａは、ボールペンリフィール３０ａ１と、ボールペンリフィール３０ａ１を保持するリフィールパイプ３０ａ２と、リフィールパイプ３０ａ２の後端部を塞ぐリフィール尾栓３０ａ３とにより構成されたボールペンを示している。
また、図１に例示する筆記体３０ｂは、シャープ機構本体３０ｂ１と、シャープ機構本体３０ｂ１に供給するシャープペンの芯を収容する芯ケース３０ｂ２と、芯ケース３０ｂ２の後端部を塞ぐ芯ケース尾栓３０ｂ３とにより構成されたシャープペンシルを示している。
【００２２】
そして、複合筆記具Ｗは、ユーザからの操作により以下のように作動する。
具体的には、先ず、ユーザが軸筒２０を傾斜させることにより、重力に従動する振り子４５を傾動させて、振り子４３の先端を所望する筆記体３０の後端部と相対向する位置に移動させる。
次に、ユーザがノック体５０を押し込む（打突する）と、スライド駒４２を介して振り子４３がテーパスプリング４４の圧縮と共に、軸筒２０の前方へ付勢され、振り子４３の先端が筆記体３０の後端部に当接して筆記体３０を先端に向けて付勢する。
そして、筆記体３０の先端が軸筒２０先端に装着される口金１０の繰り出し孔１０ａから外部に突出する。
なお、ユーザにより押し込まれたノック体５０は、上述した通り、プランジャ４２０の係止突起４２０ｃにより軸筒２０に係止され、これにより、外部に突出した筆記体３０が軸筒２０より突出したままの状態で維持される。
【００２３】
一方、ユーザが、筆記体３０を使用した後に、上述の通りクリップ６０を押圧することで、ノック体５０の係止を解除することができ、軸筒２０の先端より突出した状態の筆記体３０が、筆記体３０と共に圧縮されていたスプリング７０の弾性により後退する（Ｙ２方向に後退する）とともに、ノック体５０も軸筒２０の後端に向かってテーパスプリング４４の弾性により後退し、筆記体３０は軸筒２０内に没入して収容される。
【００２４】
つぎに、本実施形態の特徴的な構成について説明する。
先ず、本実施形態の第１の特徴である繰り出し機構４０のガイド筒４５の形状について図３〜図６を用いて説明する。
図３は、本発明の実施形態のガイド筒の側面図である。また、図４は、図３の示したガイド筒のＡ−Ａ断面図である。また、図５は、図３に示したガイド筒のＢ−Ｂ断面図である。
また、図６は、本実施形態の複合筆記具のガイド筒の後端面、振り子の先端、および筆記体３０の後端の位置を模式的に示した図である。なお、図６は、ノック操作をしていない繰出し前の複合筆記具Ｗを示している。
【００２５】
図示するように、ガイド筒４５は、上下両端を貫通する貫通孔を備えた中空筒状に形成され、その筒内に区画壁４５ａが形成され、この区画壁４５ａにより、筒内が複数の筆記体収容部４５ｃに区画されている。
具体的には、ガイド筒４５の筒内には、ガイド筒４５の軸心に沿って配置された略柱状の軸心部４５ｂと、ガイド筒４５の内周側面と軸心部４５ｂとの間に架け渡された複数の区画壁４５ａとが形成されている（図４および図５参照）。
なお、各区画壁４５ａは、略板状に形成され、一端がガイド筒４５の内周側面に接続し、他端が中央柱部４５ｂに接続し、これにより、軸心部４５ｂがガイド筒４５の筒内で支持される。
【００２６】
また、図５に示すように、各区画壁４５ａは、それぞれ、その後端面の略中央部に曲面状の天井突起４５０が形成されている。前記曲面状とは、例えば球体を半分に分割した半球の曲面等のことをいう。
なお、この天井突起４５０の曲率は、区画壁４５ａの壁幅寸法を大きくしない程度であれば良く、特に限定されるものではない。
【００２７】
例えば、天井突起４５０の曲率半径は、振り子４３の先端の外形の曲率半径の１０％程度であることが望ましい（例えば、振り子４３の先端径（先端の曲率半径）が「１．６ｍｍ」の場合、天井突起４５０の曲率半径が「Ｒ＝０．１６ｍｍ」であることが望ましい）。
なお、ガイド筒４５は、どのような材質により形成されていてもかまわないが、例えば、ポリアセタールにより形成されていることが望ましい（ガイド筒４５をポリアセタールにより形成することで、ガイド筒４５の後端面と、振り子４３の先端とが接触した場合に滑りやすくなるためである）。
【００２８】
また、軸心部４５ｂは、その後端面に中央柱部４５１が突設している。
この中央柱部４５１は、後端に向かうにつれて径が小さくなり、後端部が円弧凸状に形成されていることが望ましい。
また、ガイド筒４５の後端側の内周側面には、区画壁４５ａの後端面の略中央に向かって傾斜するガイド面４５２が形成されている。すなわち、ガイド筒４５の後端側の内周側面の中の区画壁４５ａとの接続部が、ガイド筒４５の軸心に向けて円弧凸状に突出している。
【００２９】
上記のように形成されたガイド筒４５は、軸筒２０内に収容された内筒４１の筒内に取り付けられ固定される。
また、ガイド筒４５の各筆記体収容部４５ｃには、それぞれ、後端側にスプリング７０が外装された筆記体３０が、ガイド筒４５の軸方向を移動自在に挿入される。
【００３０】
つぎに、図６を参照しながら、ガイド筒４５の後端面と、ガイド筒４５の後端面と相対向する振り子４３の先端と、筆記体３０の後端部との位置関係について説明する。
【００３１】
図６に示すように、筆記体３０は、その後端部３０ａがガイド筒４５の区画壁４５ａの後端面よりも先端側（Ｙ１側）に配置された状態で軸筒２０内のガイド筒４５に収容されている。
また、複合筆記具Ｗは、ノック操作をしていない筆記体３０の繰出し前の状態では、ガイド筒４５の後端面と相対向する振り子４３の先端４３ａが、ガイド筒４５の軸心に配置された軸心部４５ｂの中央柱部４５１の端部（図６では上端）よりも、先端側（Ｙ１側）に配置されるようになされている。
また、複合筆記具Ｗは、前記繰出し前の状態では、振り子４３の先端４３ａが、ガイド筒４５の区画壁４５ａの後端面の天井突起４５０の端部よりも、後端側（Ｙ２側）に配置されるようになされている。
【００３２】
すなわち、複合筆記具Ｗは、前記繰出し前の状態では、振り子４３の先端４３ａは、ガイド筒４５の天井突起４５０の先端（図６に示す上端）と、ガイド筒４５の軸心部４５ｂに形成された中央柱部４５１の先端（図６に示す上端）との間に配置されるようになされている。
【００３３】
そして、上記のように構成された複合筆記具Ｗは、ユーザが不十分な傾斜のままでノック操作した場合、以下のように作動する。
具体的には、ユーザが軸筒２０を不十分に傾斜させた状態でノック体５０をノック操作した場合、ガイド筒４５の中央柱部４５１と、ガイド筒４５の後端側のガイド面４５２とにより、振り子４３の先端部４３ａ１は、区画壁４５ａに形成されたいずれかの天井突起４５０と相対向する位置に導かれる。
【００３４】
また、前記導かれた振り子４３の先端４３ａは、先端側（Ｙ１側）に向けて付勢されているため、区画壁４５ａに形成された天井突起４５０に接触するが、曲面同士の接触のため、振り子４３の先端部４３ａ１が滑り、いずれかの筆記体収容部４５ｃに入り込む（挿入される）。
その後、先端側（Ｙ１側）に付勢される振り子４３の先端部４３ａは、筆記体収容部４５ｃに収容された筆記体３０の後端部３０ａを押圧し、これにより筆記体３０の先端が軸筒２０の先端に装着される口金１０の繰り出し孔１０ａから外部に突出する。
【００３５】
このように、本実施形態の構成によれば、ユーザが不十分な傾斜のままでノック操作した場合であっても、振り子４３の先端部４３ａ１が、区画壁４５ａの後端の天井突起４５０と相対向する位置に導かれ、振り子４３の先端４３ａと、天井突起４５０とが接触する。
そして、振り子４３は、天井突起４５０と接触すると、曲面同士の接触のため滑り筆記体収容部４５ｃに入り込み、筆記体収容部４５ｃに収容された筆記体３０を押し出す。
すなわち、本実施形態によれば、ユーザが軸筒２０を不十分な傾斜のままでノック操作した場合においても、スムーズに筆記体３０を繰り出すことができる。
【００３６】
また、本実施形態では、ガイド筒４５の天井突起４５０は、曲面状に形成されているため、振り子４３の先端と接触した場合に、上述した特許文献１のガイド筒の後端部の形状（山状の形成）に比べて摩耗（および破損）しにくい。
すなわち、本実施形態の複合筆記具Ｗは、ガイド筒４５の後端部が摩耗しにくいため、上述した従来技術のものと比べて、長期間使用しても、ノック操作の作動不良の抑制効果が維持される。
【００３７】
また、本実施形態のガイド筒４５は、上述した特許文献１のガイド筒を製造する場合と比べて、簡単な金型の改造により成形することができる。また、本実施形態のガイド筒４５は、上述した特許文献１のガイド筒を製造する場合と比べて成形加工が容易である。
そのため、本実施形態のガイド筒４５は、上述した特許文献１のものと比べて、製造コストを低減させることができる。
【００３８】
つぎに、本実施形態の第２の特徴である軸筒２０を構成する中ネジ管およびリング部材の形状について図７及び図８に基づいて説明する。
図７は、本実施形態の軸筒を構成する中ネジ管およびリング部材の側面図である。また、図８は、図７に示した中ネジ管およびリング部材の断面図である。
【００３９】
図示するように、中ネジ管２２は、中空円筒状に形成されたネジ部２２ａと、ネジ部２２ａの下端（図７、８のおける下端）の外周面に形成された鍔部２２ｂと、鍔部２２ｂの下面から下方に向けて延びる中空円筒状の嵌合部２２ｃとを備えている。なお、中ネジ管２２は、上下両端が貫通している。
そして、中ネジ管２２の嵌合部２２ｃは、軸筒２０を構成する先軸２１（図１参照）の筒内に挿入され嵌合される。
また、ネジ部２２ａの外周面には、後述するリング部材２３の内周面と螺合するネジ溝２２ａ１が形成されている。
また、鍔部２２ｂは、下方（図７、８に示す下方）に向けて径が拡がるテーパ状（スカート状）に形成されている。
なお、中ネジ管２２は、例えば、ステンレス等の金属により形成されている。
【００４０】
また、リング部材２３は、中空円筒状に形成されている嵌合部２３ａと、環合部２３ａの下端に形成されたリング部２３ｂとを備えている。なお、リング部材２３は、上下両端が貫通している。
そして、嵌合部２３ａは、軸筒２０を構成する中軸２４（図１、図２参照）の筒内に挿入され嵌合される。
また、嵌合部２３ａの内周面には、中ネジ管２２に形成されたネジ溝２２ａ１に螺合するネジ溝２３ａ１が形成されている（図８参照）。
また、リング部２３ｂの内周面には、中ネジ管２２のテーパ状の鍔部２２ｂに嵌合する形状になされたテーパ面２３ｂ１が形成されている。
なお、リング部材２３は、例えば、ステンレス等の金属材により形成されている。
【００４１】
上記のように構成された中ネジ管２２およびリング部材２３は、以下のように接続される。
具体的には、リング部材２３の下方から筒内に、中ネジ管２２のネジ部２２ａを挿入して回転させることで、リング部材２３のネジ溝２３ａ１と、中ネジ管２２のネジ溝２２ａ１とが螺合すると共に、鍔部２２ｂの上面部（図７、８に示す上面部）と、リング部材２３のテーパ面２３ｂ１とが当接するようになされている。これにより、中ネジ管２２およびリング部材２３は、相互に接続される。
なお、上述した通り、中ネジ管２２の嵌合部２２ｃは、先軸２１（図１参照）の筒内に嵌合される。また、リング部材２３の嵌合部２３ｃは、中軸２４（図２参照）の筒内に嵌合される。
【００４２】
このように、本実施形態では、中ネジ管２２とリング部材２３とを螺合させた場合、中ネジ管２２のテーパ状の鍔部２２ｂと、リング部材２３のテーパ面２３ｂ１とが当接するようになされているため、部品同士の摩擦力が大きく緩みにくい（中ネジ管２２とリング部材２３との食いつきがよいため、中ネジ管２２とリング部材２３とが緩みにくい）。
すなわち、本実施形態の構成によれば、金属同士の部品（中ネジ管２２およびリング部材２３）のネジ嵌合においても、リング部材２３が緩んで外れる可能性が軽減される（ネジの緩みが防止される）。
なお、本発明は、上述した実施形態に限定されるものではなく、その要旨の範囲内において種々の変更が可能である。
【００４３】
例えば、上述した実施形態では、ガイド筒４５は、ガイド壁４５により、４つの筆記体収容部４５ｃに区画されていたが、あくまでもこれは例示である。例えば、ガイド筒４５が、ガイド壁４５により、３つの筆記体収容部４５ｃに区画されていてもかまわないし、２つの筆記体収容部４５ｃに区画されていてもかまわない。
【図面の簡単な説明】
【００４４】
【図１】本発明の実施形態の複合筆記具の断面図である。
【図２】図１に示した断面図の後端部分を拡大して示した図である。
【図３】本発明の実施形態のガイド筒の側面図である。
【図４】図３の示したガイド筒のＡ-Ａ断面図である。
【図５】図３に示したガイド筒のＢ-Ｂ断面図である。
【図６】本発明の実施形態の複合筆記具のガイド筒の後端面、振り子の先端、および筆記体の後端の位置を模式的に示した図である。
【図７】本発明の実施形態の軸筒を構成する中ネジ管およびリング部材の側面図である。
【図８】図７に示した中ネジ管およびリング部材の断面図である。
【図９】従来技術による複合筆記具を構成するガイド筒を示した模式図である。
【符号の説明】
【００４５】
Ｗ          複合筆記具
１０        口金
１０ａ      繰り出し孔（口金）
２０        軸筒
２０ａ      窓部（軸筒）
２１        先軸（軸筒）
２２        中ネジ管（軸筒）
２２ａ      ネジ部（軸筒（中ネジ管））
２２ａ１    ネジ溝（軸筒（中ネジ管））
２２ｂ      鍔部（軸筒（中ネジ管））
２２ｃ      嵌合部（軸筒（中ネジ管））
２３        リング部材（軸筒）
２３ａ      嵌合部（軸筒（リング部材））
２３ａ１    ネジ溝（軸筒（リング部材））
２３ｂ      リング部（軸筒（リング部材））
２３ｂ１    テーパ面（軸筒（リング部材））
２４        中軸（軸筒）
３０、３０ａ、３０ｂ    筆記体
３０ａ１    ボールペンリフィール
３０ａ２    リフィールパイプ
３０ａ３    リフィール尾栓
３０ｂ１    シャープ機構本体
３０ｂ２    芯ケース
３０ｂ３    芯ケース尾栓
４０        繰り出し機構
４１        内筒（繰り出し機構）
４２        スライド駒（繰り出し機構）
４３        振り子（繰り出し機構）
４３ａ      振り子の先端（繰り出し機構）
４４        テーパスプリング（繰り出し機構）
４５        ガイド筒（繰り出し機構）
４５ａ      区画壁（繰り出し機構（ガイド筒））
４５ｂ      軸心部（繰り出し機構（ガイド筒））
４５ｃ      筆記体収容部（繰り出し機構（ガイド筒））
４５０      天井突起（繰り出し機構（ガイド筒））
４５１      中央柱部（繰り出し機構（ガイド筒））
４５２      ガイド面（繰り出し機構（ガイド筒））
５０        ノック体
６０        クリップ
４２０      プランジャ
４２０ａ    保持孔（プランジャ）
４２０ｂ    スプリング（プランジャ）
４２０ｃ    係止突起（プランジャ）
【図１】
2010143168.tif 000003
【図２】
2010143168.tif 000004
【図３】
2010143168.tif 000005
【図４】
2010143168.tif 000006
【図５】
2010143168.tif 000007
【図６】
2010143168.tif 000008
【図７】
2010143168.tif 000009
【図８】
2010143168.tif 000010
【図９】
2010143168.tif 000011